(57)【要約】      （修正有）【課題】手結びで帯を結ぶ際に着物を着る本人の負担を軽減するとともに、着付け作業の手間を簡略にし、着物を着る本人が容易にかつ短時間で着付け作業を行うことができるようにした磁石付き帯枕を提供する。【解決手段】両側の面にそれぞれ所定の間隔で配置された磁石１３を備えた板材１２と、板材の水平方向の両側の端部に取り付けられた結び紐と、結び紐の板材との取り付け位置の近傍に紐状体を介して取り付けられたコ字状部材からなるお太鼓部位置決め部材１１と、板材の一方の面に所定の間隔で配置された磁石と正対した状態で対応する位置に配置された磁石を備えた帯固定部材と、板材の他方の面に所定の間隔で配置された磁石と正対した状態で対応する位置に配置された磁石３２を胴部の周面に備えた帯枕３１とからなる。【選択図】図１４
0003213538.tif 000002
【実用新案登録請求の範囲】
【請求項１】
両側の面にそれぞれ所定の間隔で配置された磁石を備えた板材と、該板材の水平方向の両側の端部に取り付けられた結び紐と、該結び紐の前記板材との取り付け位置の近傍に紐状体を介して取り付けられたコ字状部材からなるお太鼓部位置決め部材と、
前記板材の一方の面に所定の間隔で配置された磁石と正対した状態で対応する位置に配置された磁石を備えた帯固定部材と、
前記板材の他方の面に所定の間隔で配置された磁石と正対した状態で対応する位置に配置された磁石を胴部の周面に備えた帯枕とからなることを特徴とする磁石付き帯枕。
【請求項２】
両側の面にそれぞれ所定の間隔で配置された磁石を備えた板材と、該板材の水平方向の両側の端部に取り付けられた結び紐と、該結び紐の前記板材との取り付け位置の近傍に紐状体を介して取り付けられたコ字状部材からなるお太鼓部位置決め部材と、
前記板材の一方の面に所定の間隔で配置された磁石と正対した状態で対応する位置に配置された磁石を備えた帯固定部材と、
一方の面に前記板材の他方の面に所定の間隔で配置された磁石と正対した状態で対応する位置に配置された磁石を備え、帯枕の胴部周面を覆うように取り付けられた帯枕取付具とからなることを特徴とする磁石付き帯枕。
【請求項３】
前記板材は矩形の平板状からなり、該板材の一方の面には所定の間隔で配置された左右一対の磁石を備え、他方の面には所定の間隔で逆三角形型に配置された３つの磁石を備えてなることを特徴とする請求項１または２の記載の磁石付き帯枕。
【請求項４】
前記板材は前記結び紐の取り付け位置から垂直方向の下側に向けて倒伏防止用の延伸部分を備えてなることを特徴とする請求項１または３の記載の磁石付き帯枕。
【請求項５】
前記帯固定部材は前記板材の一方の面に所定の間隔で逆三角形型に配置された３つの磁石と正対した状態で対応する位置に逆三角形型に３つの磁石を備えてなることを特徴とする請求項１ないし４のいずれかに記載の磁石付き帯枕。
【考案の詳細な説明】
【技術分野】
【０００１】
本考案は、着物を着る本人が容易に、かつ着物の帯を結ぶ着付け作業を短時間で行うことを可能とした磁石付き帯枕に関する。
【背景技術】
【０００２】
従来の着物の着付けにおいて、着物等の帯を結ぶ着付け作業を簡便に行うことを可能としたものとしては実用新案登録第３１８２１６６号公報（特許文献１参照）に示す、枕部と、該枕部に装着される紐状部を備える帯枕本体に、三重に形成された紐状の弾性部材と弾性部材の両端に連結された長尺状の保持紐とを備える三重仮紐を着脱自在に装着し、また前記紐状部に面ファスナーからなる第一連結具を、前記三重仮紐の保持紐に、前記第一連結具に係止する面ファスナーからなる第二連結部を装着した帯枕が提案されている。
【先行技術文献】
【特許文献】
【０００３】
【特許文献１】実用新案登録第３１８２１６６号公報
【考案の概要】
【考案が解決しようとする課題】
【０００４】
しかしながら、前記特許文献１に記載された帯枕においては、帯枕本体を面ファスナーからなる連結具で連結するため、結束そのものは簡単に行えるようになってはいるものの、帯枕本体の位置決めを正確に行えるようにはなっていなかった。
【０００５】
また帯枕本体の位置決めを正確に行うことができないため、着物を着る本人が着物の帯を結ぶ着付け作業を迅速かつ短時間で行うことができないという問題があった。
【０００６】
そこで本考案は上記の点に鑑み、お太鼓部の位置決め及び帯枕の位置決めが容易で、手結びで帯を結ぶ際に着物を着る本人の負担を軽減するとともに、着付け作業の手間を簡略にし、着物を着る本人が容易にかつ短時間で着付け作業を行うことができるようにした磁石付き帯枕を提供することにある。
【課題を解決するための手段】
【０００７】
すなわちこの考案の磁石付き帯枕は、両側の面にそれぞれ所定の間隔で配置された磁石を備えた板材と、該板材の水平方向の両側の端部に取り付けられた結び紐と、該結び紐の前記板材との取り付け位置の近傍に紐状体を介して取り付けられたコ字状部材からなるお太鼓部位置決め部材と、
前記板材の一方の面に所定の間隔で配置された磁石と正対した状態で対応する位置に配置された磁石を備えた帯固定部材と、
前記板材の他方の面に所定の間隔で配置された磁石と正対した状態で対応する位置に配置された磁石を胴部の周面に備えた帯枕とからなることを特徴とするものである。
【０００８】
また、この考案の磁石付き帯枕は、両側の面にそれぞれ所定の間隔で配置された磁石を備えた板材と、該板材の水平方向の両側の端部に取り付けられた結び紐と、該結び紐の前記板材との取り付け位置の近傍に紐状体を介して取り付けられたコ字状部材からなるお太鼓部位置決め部材と、
前記板材の一方の面に所定の間隔で配置された磁石と正対した状態で対応する位置に配置された磁石を備えた帯固定部材と、
一方の面に前記板材の他方の面に所定の間隔で配置された磁石と正対した状態で対応する位置に配置された磁石を備え、帯枕の胴部周面を覆うように取り付けられた帯枕取付具とからなることを特徴とするものである。
【０００９】
この考案の磁石付き帯枕において、前記板材は矩形の平板状からなり、該板材の一方の面には所定の間隔で配置された左右一対の磁石を備え、他方の面には所定の間隔で逆三角形型に配置された３つの磁石を備えてなることをも特徴とするものである。
【００１０】
この考案の磁石付き帯枕において、前記板材は前記結び紐の取り付け位置から垂直方向の下側に向けて倒伏防止用の延伸部分を備えてなることをも特徴とするものである。
【００１１】
この考案の磁石付き帯枕において、前記帯固定部材は前記板材の一方の面に所定の間隔で逆三角形型に配置された３つの磁石と正対した状態で対応する位置に逆三角形型に３つの磁石を備えてなることをも特徴とするものである。
【考案の効果】
【００１２】
この考案による磁石付き帯枕を使用すれば、あらかじめお太鼓部としたい帯の柄の位置にお太鼓部位置決め部材を取り付けておくことにより、帯を体に巻きつけた後に改めてお太鼓部となる帯の柄の位置を調整する必要がなく、かつ、お太鼓部位置決め部材に磁石を設けてあるので、磁石を備えた帯枕を容易に取り付けることができ、帯を体に巻きつけた後に帯枕の位置を調整する必要もない。
したがってこの考案による磁石付き帯枕を使用すれば、太鼓部の位置決め及び帯枕の位置決めが容易で、手結びで帯を結ぶ際に着物を着る本人の負担を軽減するとともに、着付け作業の手間を簡略にし、着物を着る本人が容易にかつ短時間で着付け作業を行うことができるようになるのである。
【００１３】
また、お太鼓部の形成にあたっては、板材の一方の面に設けた磁石と帯固定部材に設けた磁石とで帯を挟みつけ、同時に、コ字状部材により帯の幅方向の適所を挟み付けて固定することができるので、お太鼓部における帯のずれや型崩れを防止することができる。
【図面の簡単な説明】
【００１４】
【図１】この考案の磁石付き帯枕を構成するお太鼓部位置決め部材の正面図である。
【図２】その斜視図である。
【図３】この考案による磁石付き帯枕を構成する帯固定部材の正面図である。
【図４】その斜視図である。
【図５】帯の一端部にお太鼓部位置決め部材を取り付けようとする段階の概略斜視図である。
【図６】お太鼓部位置決め部材の帯を挟んで反対側に帯固定部材を取り付けようとする段階の概略斜視図である。
【図７】お太鼓部位置決め部材の帯を挟んで反対側に帯固定部材を取り付けた状態を示す概略斜視図である。
【図８】お太鼓部位置決め部材に設けたコ字状部材を帯の幅方向の両側に取り付けた状態を示す概略斜視図である。
【図９】お太鼓部となる帯の部分を垂れ下げた状態を示す概略参考斜視図である。
【図１０】お太鼓部となる帯の部分において、帯の気に入った柄が適切な位置にきていることを示す概略参考斜視図である。
【図１１】お太鼓部となる帯の部分の逆側の端部を用いて帯を体に巻きつけた後、体の背面において帯の結び目を形成した状態を示す概略斜視図である。
【図１２】お太鼓部となる帯の部分が適切な位置にくるようにして、お太鼓部位置決め部材の板材に取り付けた結び紐を体の前側で結んで固定した状態を示す概略斜視図である。
【図１３】この考案による磁石付き帯枕を構成する帯枕の一例を示す斜視図である。
【図１４】お太鼓部位置決め部材の板材に設けた磁石に、帯枕に設けた磁石を用いて帯枕を取り付けようとする状態を示す概略斜視図である。
【図１５】お太鼓部位置決め部材の板材に設けた磁石に、帯枕に設けた磁石を用いて帯枕を取り付けた状態を示す概略斜視図である。
【図１６】帯枕を帯揚げで包み込むようにして帯揚げの端部を体の前側で結んだ状態を示す概略参考斜視図である。
【図１７】お太鼓部となる帯の部分を垂れ下げ、お太鼓部が形成された状態を示す概略斜視図である。
【図１８】この考案による磁石付き帯枕を構成する帯枕取付具を示す斜視図である。
【図１９】お太鼓部位置決め部材の板材に設けた磁石に、帯枕取付具に設けた磁石を用いてガーゼ状部材に包まれた帯枕を取り付けようとする状態を示す概略斜視図である。
【図２０】お太鼓部位置決め部材の板材に設けた磁石に、帯枕取付具に設けた磁石を用いてガーゼ状部材に包まれた帯枕を取り付けた上で、ガーゼ状部材の両側の端部を体の前側で結んで固定した状態を示す概略斜視図である。
【考案を実施するための形態】
【００１５】
以下、この考案の磁石付き帯枕を実施するための形態を図面に基いて詳細に説明する。
図１はこの考案による磁石付き帯枕を構成するお太鼓部位置決め部材１１の正面図であり、図２はその斜視図である。
また、図３はこの考案による磁石付き帯枕を構成する帯固定部材１８の正面図であり、図４はその斜視図である。
この考案の磁石付き帯枕において、お太鼓部２２の位置決めは、図１ないし図４に示す、あらかじめ帯２１の気に入った柄２３の位置をお太鼓部２２とするためのお太鼓部位置決め部材１１と、お太鼓部２２となる帯の部分のずれを防止するための帯固定部材１８を用いて行われ、図５ないし図１０に示す手順により行う。
【００１６】
すなわち、図１および図２に示すように、前記お太鼓部位置決め部材１１は、矩形平板状で一方の面に所定の間隔で配置された左右一対の磁石１３を備え、他方の面には所定の間隔で逆三角形型に配置された磁石１４を備えた板材１２と、該板材１２の水平方向の両側の端部に取り付けられた結び紐１５と、該結び紐１５の前記板材１２との取り付け位置の近傍において紐状体１６を介して取り付けられたコ字状部材１７とで構成されている。
なお、図において前記板材１２は前記結び紐の取り付け位置から垂直方向の下側に向けて倒伏防止用の延伸部分が設けられている。
また、図３および図４に示すように、前記帯固定部材１８は、一方の面に前記板材の一方の面に所定の間隔で逆三角形型に設けられた磁石と正対した状態で対応する位置に所定の間隔で逆三角形型に配置された磁石１９を備えている。
【００１７】
次に、お太鼓部の位置決めにおいては、図５に示すように、あらかじめ帯２１の気に入った柄２３の部分がお太鼓部２２となるように帯の一端部を折り曲げた後にお太鼓部位置決め部材１１の板材１２を帯２１の幅方向の中央に配置する。
そして、図６および図７に示すように、帯固定部材１８に設けた磁石１９をお太鼓部位置決め部材１１の板材１２の一方の面に設けた磁石１４に帯２１を挟み込むようにして取り付ける。
このようにすることで、帯２１を磁石１４及び磁石１９により挟みつけて固定することができ、お太鼓部２２における帯のずれ、型崩れを防止することができる。
なお、図においては帯を固定するための磁石の配置として逆三角形型に３つの磁石を配置しているが、本考案はこれに限られるものではなく、目的の固定強度を実現するための磁石の個数又は配置を適時変更することができる。
【００１８】
さらに、図８に示すように、お太鼓部位置決め部材１１の結び紐１５に取り付けたコ字状部材１７を、お太鼓部２２の帯２１の幅方向の両側の端部の適所に取り付ける。
このようにすることで、お太鼓部２２における重なり合う帯のずれを防止することができ、仕上がりのよいお太鼓部を形成することができる。
【００１９】
なお、お太鼓部２２は、図９および図１０に示すように、お太鼓部２２となる帯の部分を垂れ下げた際に、帯２１の気に入った柄２３がお太鼓部２２として適切な位置にくるようになっている。
【００２０】
そして、図１１に示すように、お太鼓部２２を形成した帯の逆側の端部を用いて帯を体に巻き付け、お太鼓部２２を形成した端部とで体の背面に結び目を形成させる。
次に、図１２に示すように、あらかじめ帯２１の端部に形成したお太鼓部２２を体の背面の適宜位置に配置させ、お太鼓部位置決め部材１１の板材１２に取り付けた結び紐１５の両側の端部を体の前面において結んでおく。
このようにお太鼓部位置決め部材１１の結び紐１５を体の前面で結ぶことで、お太鼓部位置決め部材１１が体の背面で固定され、お太鼓部２２を適切な位置に垂れ下げることができる。
【００２１】
帯枕の取り付けについては、第１実施例を図１３ないし図１７において詳細に説明する。
まず図１３に示すように、第１実施例の帯枕３１は、あらかじめ帯枕３１の胴部周面の適所に左右一対の磁石３２を設けてある。なお、当該磁石３２は、前記帯枕３１の胴部周面において、前記お太鼓部位置決め部材１１の板材１２の一方の面に所定の間隔で設けた左右一対の磁石１３と正対した状態で対応する位置となるよう配置されている。このような構成とすることで、図１４および図１５に示すように、帯枕３１をお太鼓部位置決め部材１１の板材１２に設けた左右一対の磁石１３に、簡易かつ迅速に取り付けることができるようになっている。
なお、お太鼓部位置決め部材１１の板材１２に設けた左右一対の磁石１３の位置は、お太鼓部２２と帯枕３１との位置関係において、帯枕３１が適切な位置となるように配置してあるので、帯枕３１を取り付けた後に帯枕３１の位置を調整する必要がなく、着付け時間を短縮して、着付けの手間を軽減することができる。
【００２２】
帯枕３１をお太鼓部位置決め部材１１に取り付けた後は、図１６および図１７に示すように、帯揚げ３３により帯枕３１を包むようにしたうえで、帯揚げ３３の端部を体の前側で結んでおく。その後、お太鼓部２２となる帯の部分を垂れ下げるとお太鼓部２２となる帯の部分が帯枕３１により適切な曲線を描くように垂れ下がり、仕上がりのよいお太鼓部２２が形成される。
なお、その後の帯紐を用いた着付けの手順は省略する。
【００２３】
帯枕の取り付けについて、第２実施例を図１８ないし図２０において詳細に説明する。
まず、図１８に示すように、ガーゼ状部材４２に包まれた帯枕４１の胴部周面を覆うように取り付けられた帯枕取付具４３は、一方の面の適所に左右一対の磁石４４を備えている。
なお、第２実施例では、帯枕取付具をガーゼ状部材に包まれた帯枕を覆うように取り付けてあるが、帯枕のみに直接使用することもでき、既存の帯枕を有効に利用することができる。
【００２４】
次に、図１９および図２０に示すように、ガーゼ状部材４２に包まれた帯枕４１に取り付けられた帯枕取付具４３を、帯枕取付具４３に設けた左右一対の磁石４４をお太鼓部位置決め部１１の板材１２に設けた左右一対の磁石１３に取り付け、ガーゼ状部材４２の両側の端部を体の前側で結んでおく。
なお、お太鼓部位置決め部材１１の板材１２に設けた磁石１３の位置は、帯枕４１とお太鼓部２２との関係において、帯枕４１の位置が適切な位置となるように配置してあるので、帯枕取付具４３を用いて帯枕４１をお太鼓部位置決め部材１１の板材１２に設けた磁石１３に取り付けるだけでよく、帯枕４１の位置を調整する必要がない。
【００２５】
帯枕４１を帯枕取付具４３を用いてお太鼓部位置決め部材１１に取り付けた後は、第１実施例の図１６と同様に帯枕４１を帯揚げにより包むようにして帯揚げの両側の端部を体の前で結び、図１７と同様にお太鼓部２２となる帯の部分を垂れ下げる手順となるので、その後の帯紐を用いた着付けの手順とともに省略する。
【００２６】
本考案の磁石付き帯枕によれば、あらかじめ帯の気に入った柄の部分をお太鼓部の位置にくるようにお太鼓部の位置決めを行うことができるため、帯を体に巻きつけた後にお太鼓部の形状や柄の位置を調整する必要がない。
さらに、帯固定部材およびコ字状部材を用いて帯のずれと型崩れを防止するため、非常に仕上がりのよいお太鼓部を形成することができる。
【００２７】
また、帯枕の取り付けについては、お太鼓部位置決め部材の板材に設けた磁石の位置が帯枕の位置として適切な位置にくるように配されていることから、帯枕を磁石を用いてお太鼓部位置決め部材の板材に設けた磁石に取り付けた際に、簡易かつ迅速に帯枕を適切な位置に配置させることができる。
【産業上の利用可能性】
【００２８】
以上、この考案の磁石付き帯枕の実施例について説明してきたが、その実施例における各部材の具体的な構成や形状及び材料等は、実施例に記載したものに限るものではない。
また、この考案の磁石付き帯枕は前記実施例に限定されるものではなく、実用新案登録請求の範囲の各請求項に記載された技術的特徴を備えている限り、何ら限定されるものではない。
【符号の説明】
【００２９】
１１  お太鼓部位置決め部材
１２  板材
１３  磁石
１４  磁石
１５  結び紐
１６  紐状体
１７  コ字状部材
１８  帯固定部材
１９  磁石
２１  帯
２２  お太鼓部
２３  帯の柄
３１  帯枕
３２  磁石
３３  帯揚げ
４１  帯枕
４２  ガーゼ状部材
４３  帯枕取付具
４４  磁石
【図１】
0003213538.tif 000003
【図２】
0003213538.tif 000004
【図３】
0003213538.tif 000005
【図４】
0003213538.tif 000006
【図５】
0003213538.tif 000007
【図６】
0003213538.tif 000008
【図７】
0003213538.tif 000009
【図８】
0003213538.tif 000010
【図９】
0003213538.tif 000011
【図１０】
0003213538.tif 000012
【図１１】
0003213538.tif 000013
【図１２】
0003213538.tif 000014
【図１３】
0003213538.tif 000015
【図１４】
0003213538.tif 000016
【図１５】
0003213538.tif 000017
【図１６】
0003213538.tif 000018
【図１７】
0003213538.tif 000019
【図１８】
0003213538.tif 000020
【図１９】
0003213538.tif 000021
【図２０】
0003213538.tif 000022
【手続補正書】
【提出日】平成29年9月14日(2017.9.14)
【手続補正１】
【補正対象書類名】実用新案登録請求の範囲
【補正対象項目名】全文
【補正方法】変更
【補正の内容】
【実用新案登録請求の範囲】
【請求項１】
両側の面にそれぞれ所定の間隔で配置された磁石を備えた板材と、該板材の水平方向の両側の端部に取り付けられた結び紐と、該結び紐の前記板材との取り付け位置の近傍に紐状体を介して取り付けられたコ字状部材からなるお太鼓部位置決め部材と、
前記板材の一方の面に所定の間隔で配置された磁石と正対した状態で対応する位置に配置された磁石を備えた帯固定部材と、
前記板材の他方の面に所定の間隔で配置された磁石と正対した状態で対応する位置に配置された磁石を胴部の周面に備えた帯枕とからなることを特徴とする磁石付き帯枕。
【請求項２】
両側の面にそれぞれ所定の間隔で配置された磁石を備えた板材と、該板材の水平方向の両側の端部に取り付けられた結び紐と、該結び紐の前記板材との取り付け位置の近傍に紐状体を介して取り付けられたコ字状部材からなるお太鼓部位置決め部材と、
前記板材の一方の面に所定の間隔で配置された磁石と正対した状態で対応する位置に配置された磁石を備えた帯固定部材と、
一方の面に前記板材の他方の面に所定の間隔で配置された磁石と正対した状態で対応する位置に配置された磁石を備え、帯枕の胴部周面を覆うように取り付けられた帯枕取付具とからなることを特徴とする磁石付き帯枕。
【請求項３】
前記板材は矩形の平板状からなり、該板材の一方の面には所定の間隔で配置された磁石を備え、他方の面には所定の間隔で逆三角形型に配置された３つの磁石を備えてなることを特徴とする請求項１または２の記載の磁石付き帯枕。
【請求項４】
前記板材は前記結び紐の取り付け位置から垂直方向の下側に向けて倒伏防止用の延伸部分を備えてなることを特徴とする請求項１または３の記載の磁石付き帯枕。
【請求項５】
前記帯固定部材は前記板材の他方の面に所定の間隔で逆三角形型に配置された３つの磁石と正対した状態で対応する位置に逆三角形型に３つの磁石を備えてなることを特徴とする請求項１ないし４のいずれかに記載の磁石付き帯枕。